【事件の表示】
　特許第３１３１８４２号「フェンス用装飾パネル」の請求項１に係る特許に対する特許異議の申立てについて、次のとおり決定する。
【結　論】
　訂正を認める。
　本件特許異議の申立てを却下する。
【理　由】
一　手続の経緯
　本件特許第３１３１８４２号の請求項１ないし７に係る発明は、平成３年１月９日に特許出願され、平成１２年１１月２４日にその特許権の設定登録がなされ、その後、請求項１に係る発明の特許について朝日スチール工業株式会社より特許異議の申立てがなされ、取消理由通知がなされ、その指定期間内である平成１３年１２月１９日に訂正請求がなされたものである。
　
二　訂正の適否についての判断
１．訂正の内容
訂正事項１
　特許請求の範囲の記載を次のように訂正する。
「【請求項１】　フェンス用枠に取り付けられるパンチング加工により複数の穴を設け、これらの穴の集合からなる模様部を形成した金属又は合成樹脂の板状部材全体を偏平な筒状に折曲し、相対向する端部をそれぞれ折曲して係合させ、板状部材を筒状剛性構造体としたことを特徴とするフェンス用装飾パネル。
　【請求項２】　フェンス用枠に取り付けられるパンチング加工により複数の穴を設け、これらの穴の集合からなる模様部を形成した金属又は合成樹脂の板状部材を二枚互いに向き合わせ、該二枚の板状部材の相対向する一対の縁側をそれぞれ互いに内側に折り曲げ、当接する一対の縁部を接合して二枚の板状部材を筒状剛性構造体としたことを特徴とするフェンス用装飾パネル。
　【請求項３】　前記板状部材の複数の穴のうち所望数の穴にそれぞれ表面に着色又は模様を有する着脱自在な飾り駒を取り付け、これら飾り駒の集合からなる模様部を形成したことを特徴とする請求項１又は２記載のフェンス用装飾パネル。
　【請求項４】　フェンス用枠に取り付けられるパンチング加工により複数の穴を設け、これらの穴の集合からなる模様部を形成した金属又は合成樹脂の板状部材の少なくとも相対向する一対の縁部を筒状、Ｌ字状、又はＵ字状に折曲し、該板状部材の縁部に剛性補強縁部を形成し、前記板状部材の複数の穴のうち所望数の穴にそれぞれ表面に着色又は模様を有する着脱自在な飾り駒を取り付け、これら飾り駒の集合からなる模様部を形成したことを特徴とするフェンス用装飾パネル。
　【請求項５】　前記飾り駒は前記板状部材の穴に挿入される駒軸に嵌合穴を有する雌駒と、雌駒の嵌合穴に嵌合する駒軸を備えた雄駒とからなり、前記雌駒又は雄駒のいずれかの駒面に着色又は模様を有することを特徴とする請求項３又は４記載のフェンス用装飾パネル。
　【請求項６】　前記飾り駒の少なくとも２個以上が折曲可能なゴム、合成樹脂又は金属の細帯材又は線材からなる継ぎ材で連結されていることを特徴とする請求項３，４又は５記載のフェンス用装飾パネル。
　【請求項７】　複数の穴を有する金属又は合成樹脂の二枚の板状部材を間隔を置いて向き合わせ、二枚の板状部材間に模様板を介装し、これら板状部材の周縁部を接合してなることを特徴とするフェンス用装飾パネル。」
　
訂正事項２
　明細書の段落番号【０００５】の記載を次のように訂正する。
「【課題を解決するための手段】本発明に係るフェンス用装飾パネルは、フェンス用枠に取り付けられるパンチング加工により複数の穴を設け、これらの穴の集合からなる模様部を形成した金属又は合成樹脂の板状部材全体を偏平な筒状に折曲し、相対向する端部をそれぞれ折曲して係合させ、板状部材を筒状剛性構造体として構成したものである。」
　
訂正事項３
　明細書の段落番号【０００６】の記載を次のように訂正する。
「また、フェンス用枠に取り付けられるパンチング加工により複数の穴を設け、これらの穴の集合からなる模様部を形成した金属又は合成樹脂の板状部材を二枚互いに向き合わせ、該二枚の板状部材の相対向する一対の縁側をそれぞれ互いに内側に折り曲げ、当接する一対の縁部を接合して二枚の板状部材を筒状剛性構造体として構成することもできる。」
　
訂正事項４
　明細書の段落番号【０００７】の記載を次のように訂正する。
「そして、前記板状部材の複数の穴のうち所望数の穴にそれぞれ表面に着色又は模様を有する着脱自在な飾り駒を取り付け、これら飾り駒の集合からなる模様部を形成して構成し、さらに２個以上の飾り駒を折曲可能な継ぎ部材で連結するようにしてもよい。」
　
訂正事項５
　明細書の段落番号【０００８】の記載を次のように訂正する。
「さらに、フェンス用枠に取り付けられるパンチング加工により複数の穴を設け、これらの穴の集合からなる模様部を形成した金属又は合成樹脂の板状部材の少なくとも相対向する一対の緑部を筒状、Ｌ字状、又はＵ字状に折曲し、該板状部材の縁部に剛性補強縁部を形成し、前記板状部材の複数の穴のうち所望数の穴にそれぞれ表面に着色又は模様を有する着脱自在な飾り駒を取り付け、これら飾り駒の集合からなる模様部を形成して構成したものである。さらに、２個以上の飾り駒を折曲可能な継ぎ部材で連結するようにしてもよい。」
　
訂正事項６
　明細書の段落番号【００１０】の記載を次のように訂正する。
「【作用】本発明においては、フェンス用枠に取り付けられるパンチング加工により複数の穴を設け、これらの穴の集合からなる模様部を形成した金属又は合成樹脂の板状部材全体を偏平な筒状に折曲し、相対向する端部をそれぞれ折曲して係合させ、板状部材を筒状剛性構造体としたから、風よけや水跳の防止機能を有すると共に板状部材の穴の形状や集合の状態を変えることによって各種の文字、絵等を表現した模様部を有する正面からもよく見える装飾的効果の高いフェンス用装飾パネルが得られ、さらに板状部材全体が剛性構造化され、フェンス用枠を不要とする充分な強度を有するフェンスが得られる。」
　
訂正事項７
　明細書の段落番号【００１１】の記載を次のように訂正する。
「さらに、フェンス用枠に取り付けられるパンチング加工により複数の穴を設け、これらの穴の集合からなる模様部を形成した金属又は合成樹脂の板状部材を二枚互いに向き合わせ、該二枚の板状部材の相対向する一対の縁側をそれぞれ互いに内側に折り曲げ、当接する一対の縁部を接合して二枚の板状部材を筒状剛性構造体としたから、風よけや水跳の防止機能を有すると共に板状部材の穴の形状や集合の状態を変えることによって各種の文字、絵等を表現した模様部を有する正面からもよく見える装飾的効果の高いフェンス用装飾パネルが得られ、さらに二枚の板状部材が剛性構造に組み合わされ、フェンス用枠を不要とする充分な強度を有するフェンスが得られる。」
　
訂正事項８
　明細書の段落番号【００１２】の記載を次のように訂正する。
「そして、前記板状部材の複数の穴のうち所望数の穴にそれぞれ表面に着色又は模様を有する着脱自在な又は、固着する飾り駒を取り付け、これら飾り駒の集合からなる模様部を形成するようにしたから、所望数の飾り駒を板状部材の穴に所望配置に取り付けることにより、各種の文字、絵等を自由に表現できる模様部が得られ、さらに２個以上の飾り駒を折曲可能な継ぎ材で連結するようにしたことにより、より一層装飾的効果を高めることができる。」
　
訂正事項９
　明細書書の段落番号【００１３】の記載を次のように訂正する。
「さらに、フェンス用枠に取り付けられるパンチング加工により複数の穴を設け、これらの穴の集合からなる模様部を形成した金属又は合成樹脂の板状部材の少なくとも相対向する一対の縁部を筒状、Ｌ字状、又はＵ字状に折曲し、該板状部材の縁部に剛性補強縁部を形成し、前記板状部材の複数の穴のうち所望数の穴にそれぞれ表面に着色又は模様を有する着脱自在な飾り駒を取り付け、これら飾り駒の集合からなる模様部を形成したから、風よけや水跳の防止機能を有すると共に板状部材の穴の形状や集合の状態を変えることによって各種の文字、絵等を表現した模様部を有する正面からもよく見える装飾的効果の高いフェンス用装飾パネルが得られ、さらに板状部材が剛性構造に組み合わされ、フェンス用枠を不要とする充分な強度を有するフェンスが得られ、所望数の飾り駒を板状部材の穴に所望配置に取り付けることにより、各種の文字、絵等を自由に表現できる模様部が得られる。さらに、２個以上の飾り駒を折曲可能な継ぎ材で連結するようにしたことにより、より一層装飾的効果を高めることができる。」
　
訂正事項１０
　明細書書の段落番号【００３２】の記載を次のように訂正する。
「【発明の効果】本発明は以上説明したとおり、フェンス用枠に取り付けられるパンチング加工により複数の穴を設け、これらの穴の集合からなる模様部を形成した金属又は合成樹脂の板状部材全体を偏平な筒状に折曲し、相対向する端部をそれぞれ折曲して係合させ、板状部材を筒状剛性構造体としたので、風よけや水跳の防止機能を有すると共に板状部材の穴の形状や集合の状態を変えることによって各種の文字、絵等を表現した模様部を有する正面からもよく見える装飾的効果の高いフェンス用装飾パネルが得られ、さらに板状部材全体が剛性構造化され、フェンス用枠を不要とする充分な強度を有するフェンスが得られるという効果がある。」
　
訂正事項１１
　明細書書の段落番号【００３３】の記載を次のように訂正する。
「また、フェンス用枠に取り付けられるパンチング加工により複数の穴を設け、これらの穴の集合からなる模様部を形成した金属又は合成樹脂の板状部材を二枚互いに向き合わせ、該二枚の板状部材の相対向する一対の縁側をそれぞれ互いに内側に折り曲げ、当接する一対の縁部を接合して二枚の板状部材を筒状剛性構造体としたので、風よけや水跳の防止機能を有すると共に板状部材の穴の形状や集合の状態を変えることによって各種の文字、絵等を表現した模様部を有する正面からもよく見える装飾的効果の高いフェンス用装飾パネルが得られ、さらに二枚の板状部材が剛性構造に組み合わされ、フェンス用枠を不要とする充分な強度を有するフェンスが得られるという効果がある。」
　
訂正事項１２
　明細書書の段落番号【００３４】の記載を次のように訂正する。
「そして、前記板状部材の複数の穴のうち所望数の穴にそれぞれ表面に着色又は模様を有する着脱自在な又は、固着する飾り駒を取り付け、これら飾り駒の集合からなる模様部を形成するようにしたので、所望数の飾り駒を板状部材の穴に所望配置に取り付けることにより、各種の文字、絵等を自由に表現できる模様部が得られ、さらに２個以上の飾り駒を折曲可能な継ぎ材で連結することにより、より一層装飾的効果を高めることができるという効果を有する。」
　
訂正事項１３
　明細書書の段落番号【００３５】の記載を次のように訂正する。
「さらに、フェンス用枠に取り付けられるパンチング加工により複数の穴を設け、これらの穴の集合からなる模様部を形成した金属又は合成樹脂の板状部材の少なくとも相対向する一対の縁部を筒状、Ｌ字状、又はＵ字状に折曲し、該板状部材の縁部に剛性補強縁部を形成し、前記板状部材の複数の穴のうち所望数の穴にそれぞれ表面に着色又は模様を有する着脱自在な飾り駒を取り付け、これら飾り駒の集合からなる模様部を形成したから、風よけや水跳の防止機能を有すると共に板状部材の穴の形状や集合の状態を変えることによって各種の文字、絵等を表現した模様部を有する正面からもよく見える装飾的効果の高いフェンス用装飾パネルが得られ、さらに板状部材が剛性構造に組み合わされ、フェンス用枠を不要とする充分な強度を有するフェンスが得られ、所望数の飾り駒を板状部材の穴に所望配置に取り付けることにより、各種の文字、絵等を自由に表現できる模様部が得られ、さらに２個以上の飾り駒を折曲可能な継ぎ材で連結するようにしたことにより、より一層装飾的効果を高めることができるという効果を有する。」
　
２．訂正の目的の適否、新規事項の有無及び拡張・変更の存否
　訂正事項１は、願書に添付した明細書の特許請求の範囲の請求項１を削除し、請求項２を新たに請求項１とし、請求項３、４を順次繰り上げ、新たに請求項２、３とするとともに、旧請求項１に、旧請求項１の従属項である旧請求項４の構成を加えて新たに請求項４としたものであり、さらに、上記請求項の訂正に伴い請求項５、６の引用請求項を訂正したものであって、特許請求の範囲の減縮を目的とするものである。
　訂正事項２ないし１３は、訂正事項１による特許請求の範囲の訂正に伴って生じた明細書の記載の不都合を解消する訂正であり、いずれも明りょうでない記載の釈明を目的とするものである。
　そして、これらの訂正は、願書に添付した明細書又は図面に記載した事項の範囲内の訂正であり、さらに、実質上特許請求の範囲を拡張し、又は変更するものではない。
　
３．むすび
　以上のとおりであるから、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書き、第２項及び第３項の規定に適合するので、当該訂正を認める。
　
三　特許異議の申立てについての判断
　請求項１に係る発明は、訂正の結果削除され、特許異議の申立ての対象が存在しないこととなったので、この特許異議の申立ては不適法な申立てであって、その補正をすることができないものである。
　したがって、本件特許異議の申立ては、特許法第１２０条の６第１項で準用する同法第１３５条の規定によって却下すべきものである。
　よって、結論のとおり決定する。
【異議決定日】
平成１４年１月１１日（２００２．１．１１）
【訂正の要旨】
訂正の要旨
　特許第３１３１８４２号発明の明細書を、本件特許異議申立に関連してなされた訂正請求書に添付された訂正明細書のとおりに訂正する。
　すなわち、特許請求の範囲の減縮を目的として訂正事項１のとおり、明りょうでない記載の釈明を目的として訂正事項２ないし１３のとおり訂正する。
訂正事項１
　特許請求の範囲の記載を次のように訂正する。
「【請求項１】　フェンス用枠に取り付けられるパンチング加工により複数の穴を設け、これらの穴の集合からなる模様部を形成した金属又は合成樹脂の板状部材全体を偏平な筒状に折曲し、相対向する端部をそれぞれ折曲して係合させ、板状部材を筒状剛性構造体としたことを特徴とするフェンス用装飾パネル。
　【請求項２】　フェンス用枠に取り付けられるパンチング加工により複数の穴を設け、これらの穴の集合からなる模様部を形成した金属又は合成樹脂の板状部材を二枚互いに向き合わせ、該二枚の板状部材の相対向する一対の縁側をそれぞれ互いに内側に折り曲げ、当接する一対の縁部を接合して二枚の板状部材を筒状剛性構造体としたことを特徴とするフェンス用装飾パネル。
　【請求項３】　前記板状部材の複数の穴のうち所望数の穴にそれぞれ表面に着色又は模様を有する着脱自在な飾り駒を取り付け、これら飾り駒の集合からなる模様部を形成したことを特徴とする請求項１又は２記載のフェンス用装飾パネル。
　【請求項４】　フェンス用枠に取り付けられるパンチング加工により複数の穴を設け、これらの穴の集合からなる模様部を形成した金属又は合成樹脂の板状部材の少なくとも相対向する一対の縁部を筒状、Ｌ字状、又はＵ字状に折曲し、該板状部材の縁部に剛性補強縁部を形成し、前記板状部材の複数の穴のうち所望数の穴にそれぞれ表面に着色又は模様を有する着脱自在な飾り駒を取り付け、これら飾り駒の集合からなる模様部を形成したことを特徴とするフェンス用装飾パネル。
　【請求項５】　前記飾り駒は前記板状部材の穴に挿入される駒軸に嵌合穴を有する雌駒と、雌駒の嵌合穴に嵌合する駒軸を備えた雄駒とからなり、前記雌駒又は雄駒のいずれかの駒面に着色又は模様を有することを特徴とする請求項３又は４記載のフェンス用装飾パネル。
　【請求項６】　前記飾り駒の少なくとも２個以上が折曲可能なゴム、合成樹脂又は金属の細帯材又は線材からなる継ぎ材で連結されていることを特徴とする請求項３，４又は５記載のフェンス用装飾パネル。
　【請求項７】　複数の穴を有する金属又は合成樹脂の二枚の板状部材を間隔を置いて向き合わせ、二枚の板状部材間に模様板を介装し、これら板状部材の周縁部を接合してなることを特徴とするフェンス用装飾パネル。」
訂正事項２
　明細書の段落番号【０００５】の記載を次のように訂正する。
「【課題を解決するための手段】本発明に係るフェンス用装飾パネルは、フェンス用枠に取り付けられるパンチング加工により複数の穴を設け、これらの穴の集合からなる模様部を形成した金属又は合成樹脂の板状部材全体を偏平な筒状に折曲し、相対向する端部をそれぞれ折曲して係合させ、板状部材を筒状剛性構造体として構成したものである。」
訂正事項３
　明細書の段落番号【０００６】の記載を次のように訂正する。
「また、フェンス用枠に取り付けられるパンチング加工により複数の穴を設け、これらの穴の集合からなる模様部を形成した金属又は合成樹脂の板状部材を二枚互いに向き合わせ、該二枚の板状部材の相対向する一対の縁側をそれぞれ互いに内側に折り曲げ、当接する一対の縁部を接合して二枚の板状部材を筒状剛性構造体として構成することもできる。」
訂正事項４
　明細書の段落番号【０００７】の記載を次のように訂正する。
「そして、前記板状部材の複数の穴のうち所望数の穴にそれぞれ表面に着色又は模様を有する着脱自在な飾り駒を取り付け、これら飾り駒の集合からなる模様部を形成して構成し、さらに２個以上の飾り駒を折曲可能な継ぎ部材で連結するようにしてもよい。」
訂正事項５
　明細書の段落番号【０００８】の記載を次のように訂正する。
「さらに、フェンス用枠に取り付けられるパンチング加工により複数の穴を設け、これらの穴の集合からなる模様部を形成した金属又は合成樹脂の板状部材の少なくとも相対向する一対の緑部を筒状、Ｌ字状、又はＵ字状に折曲し、該板状部材の縁部に剛性補強縁部を形成し、前記板状部材の複数の穴のうち所望数の穴にそれぞれ表面に着色又は模様を有する着脱自在な飾り駒を取り付け、これら飾り駒の集合からなる模様部を形成して構成したものである。さらに、２個以上の飾り駒を折曲可能な継ぎ部材で連結するようにしてもよい。」
訂正事項６
　明細書の段落番号【００１０】の記載を次のように訂正する。
「【作用】本発明においては、フェンス用枠に取り付けられるパンチング加工により複数の穴を設け、これらの穴の集合からなる模様部を形成した金属又は合成樹脂の板状部材全体を偏平な筒状に折曲し、相対向する端部をそれぞれ折曲して係合させ、板状部材を筒状剛性構造体としたから、風よけや水跳の防止機能を有すると共に板状部材の穴の形状や集合の状態を変えることによって各種の文字、絵等を表現した模様部を有する正面からもよく見える装飾的効果の高いフェンス用装飾パネルが得られ、さらに板状部材全体が剛性構造化され、フェンス用枠を不要とする充分な強度を有するフェンスが得られる。」
訂正事項７
　明細書の段落番号【００１１】の記載を次のように訂正する。
「さらに、フェンス用枠に取り付けられるパンチング加工により複数の穴を設け、これらの穴の集合からなる模様部を形成した金属又は合成樹脂の板状部材を二枚互いに向き合わせ、該二枚の板状部材の相対向する一対の縁側をそれぞれ互いに内側に折り曲げ、当接する一対の縁部を接合して二枚の板状部材を筒状剛性構造体としたから、風よけや水跳の防止機能を有すると共に板状部材の穴の形状や集合の状態を変えることによって各種の文字、絵等を表現した模様部を有する正面からもよく見える装飾的効果の高いフェンス用装飾パネルが得られ、さらに二枚の板状部材が剛性構造に組み合わされ、フェンス用枠を不要とする充分な強度を有するフェンスが得られる。」
訂正事項８
　明細書の段落番号【００１２】の記載を次のように訂正する。
「そして、前記板状部材の複数の穴のうち所望数の穴にそれぞれ表面に着色又は模様を有する着脱自在な又は、固着する飾り駒を取り付け、これら飾り駒の集合からなる模様部を形成するようにしたから、所望数の飾り駒を板状部材の穴に所望配置に取り付けることにより、各種の文字、絵等を自由に表現できる模様部が得られ、さらに２個以上の飾り駒を折曲可能な継ぎ材で連結するようにしたことにより、より一層装飾的効果を高めることができる。」
訂正事項９
　明細書書の段落番号【００１３】の記載を次のように訂正する。
「さらに、フェンス用枠に取り付けられるパンチング加工により複数の穴を設け、これらの穴の集合からなる模様部を形成した金属又は合成樹脂の板状部材の少なくとも相対向する一対の縁部を筒状、Ｌ字状、又はＵ字状に折曲し、該板状部材の縁部に剛性補強縁部を形成し、前記板状部材の複数の穴のうち所望数の穴にそれぞれ表面に着色又は模様を有する着脱自在な飾り駒を取り付け、これら飾り駒の集合からなる模様部を形成したから、風よけや水跳の防止機能を有すると共に板状部材の穴の形状や集合の状態を変えることによって各種の文字、絵等を表現した模様部を有する正面からもよく見える装飾的効果の高いフェンス用装飾パネルが得られ、さらに板状部材が剛性構造に組み合わされ、フェンス用枠を不要とする充分な強度を有するフェンスが得られ、所望数の飾り駒を板状部材の穴に所望配置に取り付けることにより、各種の文字、絵等を自由に表現できる模様部が得られる。さらに、２個以上の飾り駒を折曲可能な継ぎ材で連結するようにしたことにより、より一層装飾的効果を高めることができる。」
訂正事項１０
　明細書書の段落番号【００３２】の記載を次のように訂正する。
「【発明の効果】本発明は以上説明したとおり、フェンス用枠に取り付けられるパンチング加工により複数の穴を設け、これらの穴の集合からなる模様部を形成した金属又は合成樹脂の板状部材全体を偏平な筒状に折曲し、相対向する端部をそれぞれ折曲して係合させ、板状部材を筒状剛性構造体としたので、風よけや水跳の防止機能を有すると共に板状部材の穴の形状や集合の状態を変えることによって各種の文字、絵等を表現した模様部を有する正面からもよく見える装飾的効果の高いフェンス用装飾パネルが得られ、さらに板状部材全体が剛性構造化され、フェンス用枠を不要とする充分な強度を有するフェンスが得られるという効果がある。」
訂正事項１１
　明細書書の段落番号【００３３】の記載を次のように訂正する。
「また、フェンス用枠に取り付けられるパンチング加工により複数の穴を設け、これらの穴の集合からなる模様部を形成した金属又は合成樹脂の板状部材を二枚互いに向き合わせ、該二枚の板状部材の相対向する一対の縁側をそれぞれ互いに内側に折り曲げ、当接する一対の縁部を接合して二枚の板状部材を筒状剛性構造体としたので、風よけや水跳の防止機能を有すると共に板状部材の穴の形状や集合の状態を変えることによって各種の文字、絵等を表現した模様部を有する正面からもよく見える装飾的効果の高いフェンス用装飾パネルが得られ、さらに二枚の板状部材が剛性構造に組み合わされ、フェンス用枠を不要とする充分な強度を有するフェンスが得られるという効果がある。」
訂正事項１２
　明細書書の段落番号【００３４】の記載を次のように訂正する。
「そして、前記板状部材の複数の穴のうち所望数の穴にそれぞれ表面に着色又は模様を有する着脱自在な又は、固着する飾り駒を取り付け、これら飾り駒の集合からなる模様部を形成するようにしたので、所望数の飾り駒を板状部材の穴に所望配置に取り付けることにより、各種の文字、絵等を自由に表現できる模様部が得られ、さらに２個以上の飾り駒を折曲可能な継ぎ材で連結することにより、より一層装飾的効果を高めることができるという効果を有する。」
訂正事項１３
　明細書書の段落番号【００３５】の記載を次のように訂正する。
「さらに、フェンス用枠に取り付けられるパンチング加工により複数の穴を設け、これらの穴の集合からなる模様部を形成した金属又は合成樹脂の板状部材の少なくとも相対向する一対の縁部を筒状、Ｌ字状、又はＵ字状に折曲し、該板状部材の縁部に剛性補強縁部を形成し、前記板状部材の複数の穴のうち所望数の穴にそれぞれ表面に着色又は模様を有する着脱自在な飾り駒を取り付け、これら飾り駒の集合からなる模様部を形成したから、風よけや水跳の防止機能を有すると共に板状部材の穴の形状や集合の状態を変えることによって各種の文字、絵等を表現した模様部を有する正面からもよく見える装飾的効果の高いフェンス用装飾パネルが得られ、さらに板状部材が剛性構造に組み合わされ、フェンス用枠を不要とする充分な強度を有するフェンスが得られ、所望数の飾り駒を板状部材の穴に所望配置に取り付けることにより、各種の文字、絵等を自由に表現できる模様部が得られ、さらに２個以上の飾り駒を折曲可能な継ぎ材で連結するようにしたことにより、より一層装飾的効果を高めることができるという効果を有する。」
（５４）【発明の名称】
フェンス用装飾パネル
（５７）【特許請求の範囲】
　【請求項１】　フェンス用枠に取り付けられるパンチング加工により複数の穴を設け、これらの穴の集合からなる模様部を形成した金属又は合成樹脂の板状部材
全体を偏平な筒状に折曲し、相対向する端部をそれぞれ折曲して係合させ、板状部材を筒状剛性構造体と
　【請求項２】　フェンス用枠に取り付けられるパンチング加工により複数の穴を設け、これらの穴の集合からなる模様部を形成した金属又は合成樹脂の板状部材
を二枚互いに向き合わせ、該二枚の板状部材の相対向する一対の縁側をそれぞれ互いに内側に折り曲げ、当接する一対の縁部を接合して二枚の板状部材を筒状剛性構造体と
　【請求項３】　
前記板状部材の複数の穴のうち所望数の穴にそれぞれ表面に着色又は模様を有する着脱自在な飾り駒を取り付け、これら飾り駒の集合からなる模様部を形成したことを特徴とする請求項１又は２記載の
　【請求項４】　
フェンス用枠に取り付けられるパンチング加工により複数の穴を設け、これらの穴の集合からなる模様部を形成した金属又は合成樹脂の板状部材の少なくとも相対向する一対の縁部を筒状、Ｌ字状、又はＵ字状に折曲し、該板状部材の縁部に剛性補強縁部を形成し、前記板状部材の複数の穴のうち所望数の穴にそれぞれ表面に着色又は模様を有する着脱自在な飾り駒を取り付け、これら飾り駒の集合からなる模様部を形成したことを特徴とする
　【請求項５】　前記飾り駒は前記板状部材の穴に挿入される駒軸に嵌合穴を有する雌駒と、雌駒の嵌合穴に嵌合する駒軸を備えた雄駒とからなり、前記雌駒又は雄駒のいずれかの駒面に着色又は模様を有することを特徴とする請求項
３又は４
　【請求項６】　前記飾り駒の少なくとも２個以上が折曲可能なゴム、合成樹脂又は金属の細帯材又は線材からなる継ぎ材で連結されていることを特徴とする請求項
３，４又は５
　【請求項７】　複数の穴を有する金属又は合成樹脂の二枚の板状部材を間隔を置いて向き合わせ、二枚の板状部材間に模様板を介装し、これら板状部材の周縁部を接合してなることを特徴とするフェンス用装飾パネル。
【発明の詳細な説明】
　【０００１】
　【産業上の利用分野】
　本発明は道路の防護柵、一般家庭の塀、門等のエクテリヤおよび案内表示板、等に使用されるフェンス用装飾パネルに関するものである。
　【０００２】
　【従来の技術】
　図１６は従来の道路用防護柵を示す斜視図である。図において、１は例えば車道と歩道との境界線に所定間隔を置いて立設された支柱、２は支柱１，１間に張設された上桟又は上胴縁、３は支柱２，２間に張設された下桟又は下胴縁、４は上桟２と下桟３間に溶接によって所定間隔を置いて取り付けられた複数の鋼管からなる格子である。これら複数の格子４には例えば、絵、模様、文字等の図柄５が塗装により塗布されて設けられている。または、格子４に図柄５の各構成要素が予め着色された複数の円筒状装飾エレメントを嵌装させて図柄を設けるようにしている。
　このように図柄５が複数の格子４に施されることによって防護柵としての機能の他に運転手或いは歩道を散歩する人を楽しませ、また図柄５が文字、例えば交通標語のときには人の注意を惹くことができる。
　【０００３】
　【発明が解決しようとする課題】
　上記のような従来の道路用防護柵では、複数の格子４が所定間隔を置いて上桟２と下桟３間に取り付けられているから、風通しは良いものの風よけや水跳の防止という点で難点があった。また、複数の格子４に図柄５を設けたとしても、複数の格子４は互いに離れているから、格子４の正面からは図柄５がはっきりとみえず、図柄５も複雑なものは表現しにくいために、図柄５にも一定の制約が伴うという問題点があった。
　【０００４】
　本発明はかかる問題点を解決するためになされたもので、風よけや水跳の防止の機能を有し、正面からもはっきりと図柄がみえ、複雑な図柄も表現でき、道路の防護柵だけでなく一般家庭のエクステリアとしても用いることができるフェンス用装飾パネルを得ることを目的とする。
　【０００５】
　【課題を解決するための手段】
　本発明に係るフェンス用装飾パネルは、フェンス用枠に取り付けられるパンチング加工により複数の穴を設け、これらの穴の集合からなる模様部を形成した金属又は合成樹脂の板状部材
全体を偏平な筒状に折曲し、相対向する端部をそれぞれ折曲して係合させ、板状部材を筒状剛性構造体として
　【０００６】
　また、フェンス用枠に取り付けられるパンチング加工により複数の穴を設け、これらの穴の集合からなる模様部を形成した金属又は合成樹脂の板状部材を
二枚互いに向き合わせ、該二枚の板状部材の相対向する一対の縁側をそれぞれ互いに内側に折り曲げ、当接する一対の縁部を接合して二枚の板状部材を
　【０００７】
　
そして、前記板状部材の複数の穴のうち所望数の穴にそれぞれ表面に着色又は模様を有する着脱自在な飾り駒を取り付け、これら飾り駒の集合からなる模様部を形成して構成し、さらに２個以上の飾り駒を折曲可能な継ぎ部材で連結するようにしてもよい。
　【０００８】
　
さらに、フェンス用枠に取り付けられるパンチング加工により複数の穴を設け、これらの穴の集合からなる模様部を形成した金属又は合成樹脂の板状部材の少なくとも相対向する一対の縁部を筒状、Ｌ字状、又はＵ字状に折曲し、該板状部材の縁部に剛性補強縁部を形成し、前記板状部材の複数の穴のうち所望数の穴にそれぞれ表面に着色又は模様を有する着脱自在な飾り駒を取り付け、これら飾り駒の集合からなる模様部を形成して構成したものである。
　【０００９】
　また、複数の穴を有する金属又は合成樹脂の二枚の板状部材を間隔を置いて向き合わせ、二枚の板状部材間に模様板を介装し、これら板状部材の周縁部を接合して構成することもできる。
　【００１０】
　【作用】
　本発明においては、フェンス用枠に取り付けられるパンチング加工により複数の穴を設け、これらの穴の集合からなる模様部を形成した金属又は合成樹脂の板状部材
全体を偏平な筒状に折曲し、相対向する端部をそれぞれ折曲して係合させ、板状部材を筒状剛性構造体としたから
全体が剛性構造化され
不要とする充分な強度を有するフェンスが得られる。
　【００１１】
　
さらに、
を二枚互いに向き合わせ、該二枚の板状部材の相対向する一対の縁側をそれぞれ互いに内側に折り曲げ、当接する一対の縁部を接合して二枚の板状部材
二枚の板状部材が剛性構造に組み合わされ
　【００１２】
　
そして、前記板状部材の複数の穴のうち所望数の穴にそれぞれ表面に着色又は模様を有する着脱自在な又は、固着する飾り駒を取り付け、これら飾り駒の集合からなる模様部を形成するようにしたから、所望数の飾り駒を板状部材の穴に所望配置に取り付けることにより、各種の文字、絵等を自由に表現できる模様部が得られ、さらに２個以上の飾り駒を折曲可能な継ぎ材で連結するようにしたことにより、より一層装飾的効果を高めることができる。
　【００１３】
　
さらに、フェンス用枠に取り付けられるパンチング加工により複数の穴を設け、これらの穴の集合からなる模様部を形成した金属又は合成樹脂の板状部材の少なくとも相対向する一対の縁部を筒状、Ｌ字状、又はＵ字状に折曲し、該板状部材の縁部に剛性補強縁部を形成し、前記板状部材の複数の穴のうち所望数の穴にそれぞれ表面に着色又は模様を有する着脱自在な飾り駒を取り付け、これら飾り駒の集合からなる模様部を形成したから、風よけや水跳の防止機能を有すると共に板状部材の穴の形状や集合の状態を変えることによって各種の文字、絵等を表現した模様部を有する正面からもよく見える装飾的効果の高いフェンス用装飾パネルが得られ、さらに板状部材が剛性構造に組み合わされ、フェンス用枠を不要とする充分な強度を有するフェンスが得られ、
る。さらに
　【００１４】
　また、複数の穴を有する金属又は合成樹脂の二枚の板状部材を間隔を置いて向き合わせ、二枚の板状部材間に模様板を介装し、これら板状部材の周縁部を接合するようにしたから、二枚の板状部材と模様板とが一体となって剛性構造化されると共に模様板にきめ細かい模様を表現することができ、フェンス用枠を不要とする充分な強度を有するフェンスが得られると共に装飾的効果のより一層高いフェンス用装飾パネルが得られる。
　【００１５】
　【実施例】
　図１は本発明の第１実施例を示す正面図、図１において、５ａはパンチング加工により多数の穴６を設けた三角形のスチール製の小板状部材、５ｂはパンチング加工により多数の穴６を設けた菱形のスチール製の小板状部材、７はスチール製の長方形のフェンス用枠、８ａはフェンス用枠７に形成された三角形の取付窓で、三角形の小板状部材５ａが嵌め付られている。８ｂはフェンス用枠７に形成れさた菱形の取付窓で、菱形の小板状部材５ｂが嵌め付けられている。
　このようにフェンス用枠７の各取付窓８ａ，８ｂにそれぞれ小板状部材５ａ，５ｂが嵌め付られてフェンス用装飾パネル１０が構成されている。このフェンス用装飾パネル１０は例えばフェンス用枠７の両側縁に設けられた取付片（図示省略）と支柱１に設けられた取付片１ａとを締着具９によって連結して道路の防護柵として使用される。
　【００１６】
　上記のように構成されたフェンス用装飾パネル１０においてはフェンス用枠７に形成された三角形又は菱形の複数の取付窓８ａ，８ｂに多数の穴６を設けた三角形又は菱形の小板状部材５ａ，５ｂを取り付けるようにしているため、道路の防護柵として使用された場合にこれら小板状部材５ａ，５ｂが風よけや水跳の防止機能を果たし、しかもこれら小板状部材５ａ，５ｂが適宜に配置されることによって正面からもよく見える装飾的効果の高い模様としての機能を発揮する。
　【００１７】
　図２は図１の実施例の変形例を示し、フェンス用枠７に長方形の取付窓８ｃが複数形成されており、これに対応した長方形の小板状部材５ｃが適宜の取付窓８ｃに嵌め付けられているのである。
　この変形例も図１に示す実施例と同様に水跳の防止機能と装飾的効果の高い模様としての機能を発揮する。
　【００１８】
　図３は本発明の第２実施例を示す正面図である。この実施例のフェンス用装飾パネル２０はスチール製の板状部材２１にパンチング加工により例えば星形の穴を設けて模様部２２を有するように形成されている。この板状部材２１をスチール製の長方形のフェンス用枠７に嵌め付け、板状部材２１を有するフェンス用枠７を二本の支柱１，１間に取り付けることにより、道路の防護柵として使用することができる。この実施例では模様部２２を形成する穴の形状を様々な形にすることにより、さらにその穴を多数設けることにより、正面からもよく見える装飾効果の高い単独模様が得られる。
　【００１９】
　図４は本発明の第３実施例を示す正面図である。この実施例のフェンス用装飾パネル３０はスチール製の板状部材３１にパンチング加工により複数の穴３２を設け、これらの穴３２の集合が図示の如く、文字を構成する模様部３３を形成するようにしたものである。
　この実施例は模様部３３が複数の穴３２の集合であり、穴３２の形状や集合の状態を変えることで、模様部３３に各種の文字、絵等を表現した装飾的効果の高い模様を得ることができる。この模様部３３も正面から見ることができる。
　また、図示はしないが、板状部材３１に左右方向に連続して波付加工（コルゲーョン）すると、立体的デザインとなり、種々な角度から模様部３３を見ることができる様になり１つの模様に限定されずデザインの応用範囲が広がる。
　【００２０】
　図５は本発明の第４実施例を示す正面図である。この実施例のフェンス用装飾パネル４０はスチール製の板状部材４１にパンチング加工により複数の穴４２を設けると共に穴４２を設けていない部分に絞り加工により５個のリブを設け、これらのリブからなる剛性補強部４３を形成するようにしたものである。
　この実施例は５個のリブからなる剛性補強部４３を有することにより、板状部材４１が剛性化され、フェンス用枠を取り付けなくても直接支柱に取り付けて道路用の柵として使用することができる。なお、複数の穴４２の集合で模様部を形成するようにしてもよいことは勿論である。
　【００２１】
　図６は本発明の第４実施例の変形例を示す斜視図である。この変形例は複数の穴４２とリブからなる剛性補強部４３を有するスチール製の板状部材４１の上縁と下縁を筒状に折曲して板状部材４１の上縁と下縁に剛性補強縁部４４を形成したものである。
　この変形例は板状部材４１の上縁と下縁に剛性補強部４４を有することにより、板状部材４１の縁部も剛性化され、全体としてより一層剛性化されると共にフェンス用枠を取り付けなくても直接支柱間に設けられた桟に取り付けて道路用の柵として使用することができる。
　なお、この実施例では板状部材４１の上縁と下縁を筒状に折曲しているが、Ｕ字状に折曲してもよいことは勿論である。
　【００２２】
　図７は本発明の第５実施例を示す斜視図である。この実施例のフェンス用装飾パネル５０は複数の穴５２を有するスチール製の板状部材５１の周縁をＬ字状に折曲して板状部材５１の周縁部に剛性補強周縁部５３を形成するようにしたものである。
　この実施例は板状部材５１の周縁部に剛性補強周縁部５３を有することにより、板状部材５１の周縁部が剛性化され、フェンス用枠を取り付けなくても、直接支柱に取り付けて道路用の柵として使用することができる。
　【００２３】
　図８は本発明の第６実施例を示す斜視図である。この実施例のフェンス用装飾パネル６０は複数の穴６２を有するスチール製の板状部材６１全体を偏平な筒状に折曲し、相対向する端部をそれぞれハゼ折り状に折曲して係合させて係合部６３を設け、板状部材６１を筒状剛性構造体として形成したものである。
　この実施例は一枚の板状部材６１を筒状剛性構造体としたことにより、板状部材６１全体が剛性構造化され、フェンス枠を不要とする充分な強度を有するフェンスが得られる。
　なお、複数の穴６２の集合で模様部を形成するようにしてもよいことは勿論である。
　【００２４】
　図９は本発明の第７実施例を示す斜視図である。この実施例のフェンス用装飾パネル７０は複数の穴７２を有する二枚のスチール製の板状部材７１を間隔を置いて互いに向き合わせ、これら板状部材７１の上縁側と下縁側をそれぞれ互いに内側に折り曲げ、当接する一対の上縁と下縁とをそれぞれ溶接により接合して接合部７３を形成して二枚の板状部材７１を筒状剛性構造体として形成したものである。
　この実施例は二枚の板状部材７１を組み合わせて筒状構造体としたことにより、二枚の板状部材７１が充分な強度を有して剛性構造化されている。　なお、複数の穴の集合で模様部を形成するようにしてもよいことは勿論である。
　【００２５】
　図１０は本発明の第８実施例を示す正面図、図１１は飾り駒の取り付け状態を示す断面図である。この実施例のフェンス用装飾パネル８０は多数の穴８２を有する板状部材８１と、その板状部材８１の多数の穴８２のうち所望数の穴にそれぞれ取り付けられ、円形の駒面に着色された又は、駒自体が着色されている着脱自在な飾り駒８３とから構成されている。この飾り駒８３は板状部材８１の穴８２に嵌合する着脱自在な駒軸８４を有しており、プラスチック或いはゴム等の変形可能な材質で形成されている。
　【００２６】
　この実施例は板状部材８１の所望数の穴８２に飾り駒８３を取り付けることにより、これら飾り駒８３の集合からなる模様部８５が形成され、各種の文字、絵等を自由に表現することができる。この実施例では飾り駒８３の駒面が着色されている例を示しているが平面的な形状模様・色彩模様或いは立体的な形状模様が施されているものであってもよいことはいうまでもない。なお、着色する塗料を螢光塗料にすると、夜間でも模様文字等が判り、視認性が良くなる。
　【００２７】
　図１２は図１０及び図１１に示す第８実施例の変形例を示す断面図である。この変形例は駒面が方形の飾り駒８６であり、駒面が円形のものと相違する装飾的効果を与えることができる。なお、飾り駒の形状は、円形、方形に限らず、六角形、だ円形、不定形、等いずれでも良いことはいうまでもない。
　【００２８】
　図１３は図１０及び図１１に示す第８実施例のもう一つの変形例を示す構成図である。この変形例の飾り駒８７は雌駒８７Ａと雄駒８７Ｂとからなり、雌駒８７Ａは板状部材８１の穴８２に挿入される駒軸８８に嵌合穴８８ａを有し、雄駒８７Ｂは雌駒８７Ａの嵌合穴８８ａに嵌合する駒軸８９を有して形成されている。そして、雌駒８７Ａの駒面に着色又は模様が施されている。なお、雄駒８７Ｂの駒面に着色又は模様が施されるようにしてもよい。この場合、材質はプラスチック、ゴムの他に金属、木質系、ガラス、セラミック、等何んでもよい。
　【００２９】
　図１４は図１０及び図１１に示す第８実施例の更にもう一つの変形例を示す構成図である。この変形例は例えば２つの飾り駒８３，８３が折曲可能なゴム、合成樹脂又は金属の細長い継ぎ材９０で連結されているものである。この継ぎ材９０の表面にも着色又は模様を施すことにより、飾り駒８６の駒面の着色又は模様と相俟ってより一層装飾的効果を高めている。
　【００３０】
　図１５は本発明の第９実施例を示すもので、図１５（ａ）は模様板が二枚の板状部材間に介装される前の状態を示す斜視図、図１５（ｂ）は模様板が二枚の板状部材間に介装された状態を示す斜視図である。この実施例のフェンス用装飾パネル１００は複数の穴１０２を有するスチール製の二枚の板状部材１０１，１０１を間隔を置いて向き合わせ、二枚の板状部材１０１，１０１間に表面に模様を有する模様板１０３を介装し、これら板状部材１０１，１０１の周縁部の四隅を、締着部材１０４で接合して形成されている。
　この実施例は二枚の板状部材１０１，１０１と模様板１０３とが一体となって剛性構造化されると共に模様板１０３にきめの細い模様を表現することができる。従って、フェンス用枠を不要とする充分な剛性強度を有すると共に装飾的効果のより一層高いものとしている。
　【００３１】
　上述したいずれの実施例においても、板状部材はスチール製としているが、ステンレス、アルミで形成してもよく、また耐候性を有するものであれば、例えばポリカーボネート等の合成樹脂で形成するようにしてもよいことは勿論である。また、上述した実施例ではフェンス用装飾パネルが道路用防護柵として適用される例を示したが、その用途はこれに限るものではなく、一般家庭の門、屏等のエクステリアにも使用できることはいうまでもない。
　【００３２】
　【発明の効果】
　本発明は以上説明したとおり、フェンス用枠に取り付けられるパンチング加工により複数の穴を設け、これらの穴の集合からなる模様部を形成した金属又は合成樹脂の板状部材
全体を偏平な筒状に折曲し、相対向する端部をそれぞれ折曲して係合させ、板状部材を筒状剛性構造体としたので
全体が剛性構造化され
を不要とする充分な強度を有するフェンスが得られる
　【００３３】
　また、フェンス用枠に取り付けられるパンチング加工により複数の穴を設け、これらの穴の集合からなる模様部を形成した金属又は合成樹脂の板状部材を
二枚互いに向き合わせ、該二枚の板状部材の相対向する一対の縁側をそれぞれ互いに内側に折り曲げ、当接する一対の縁部を接合して二枚の板状部材を
二枚の板状部材が剛性構造に組み合わされ、
　【００３４】
　
そして、前記板状部材の複数の穴のうち所望数の穴にそれぞれ表面に着色又は模様を有する着脱自在な又は、固着する飾り駒を取り付け、これら飾り駒の集合からなる模様部を形成するようにしたので、所望数の飾り駒を板状部材の穴に所望配置に取り付けることにより、各種の文字、絵等を自由に表現できる模様部が得られ、さらに２個以上の飾り駒を折曲可能な継ぎ材で連結することにより、より一層装飾的効果を高めることができるという効果を有する。
　【００３５】
　
さらに、フェンス用枠に取り付けられるパンチング加工により複数の穴を設け、これらの穴の集合からなる模様部を形成した金属又は合成樹脂の板状部材の少なくとも相対向する一対の縁部を筒状、Ｌ字状、又はＵ字状に折曲し、該板状部材の縁部に剛性補強縁部を形成し、前記板状部材の複数の穴のうち所望数の穴にそれぞれ表面に着色又は模様を有する着脱自在な飾り駒を取り付け、これら飾り駒の集合からなる模様部を形成したから、風よけや水跳の防止機能を有すると共に板状部材の穴の形状や集合の状態を変えることによって各種の文字、絵等を表現した模様部を有する正面からもよく見える装飾的効果の高いフェンス用装飾パネルが得られ、さらに板状部材が剛性構造に組み合わされ、フェンス用枠を不要とする充分な強度を有するフェンスが得られ
　【００３６】
　また、複数の穴を有する金属又は合成樹脂の二枚の板状部材を間隔を置いて向き合わせ、二枚の板状部材間に模様板を介装し、これら板状部材の周縁部を接合するようにしたので、二枚の板状部材と模様板とが一体となって剛性構造化されると共に模様板にきめ細かい模様を表現することができ、フェンス用枠を不要とする充分な強度を有するフェンスが得られると共に装飾的効果のより一層高いフェンス用装飾パネルが得られるという効果がある。
【図面の簡単な説明】
　【図１】
　本発明の第１実施例を示す正面図である。
　【図２】
　本発明の第１実施例の変形例を示す正面図である。
　【図３】
　本発明の第２実施例を示す正面図である。
　【図４】
　本発明の第３実施例を示す正面図である。
　【図５】
　本発明の第４実施例を示す正面図である。
　【図６】
　本発明の第４実施例の変形例を示す斜視図である。
　【図７】
　本発明の第５実施例の斜視図である。
　【図８】
　本発明の第６実施例を示す斜視図である。
　【図９】
　本発明の第７実施例を示す斜視図である。
　【図１０】
　本発明の第８実施例を示す正面図である。
　【図１１】
　飾り駒の取り付け状態を示す断面図である。
　【図１２】
　本発明の第８実施例の変形例を示す断面図である。
　【図１３】
　本発明の第８実施例のもう一つの変形例を示す構成図である。
　【図１４】
　本発明の第８実施例の更にもう一つの変形例を示す構成図である。
　【図１５】
　本発明の第９実施例を示し、（ａ）は模様板が二枚の板状部材間に介装される前の状態を示す斜視図である。（ｂ）は模様板が二枚の板状部材間に介装された状態を示す斜視図である。
　【図１６】
　従来の道路用防護柵を示す斜視図である。
　【符号の説明】
　　７　　フェンス用枠
　１０　フェンス用装飾パネル
　４１　板状部材
　４２　穴
　４４　剛性補強部